(57)【要約】      （修正有）【課題】コネクタ同士でのガタの発生を簡単な構成で防止できるコネクタを提供する。【解決手段】相手側コネクタのフード部８の先端が、挿入溝４内で弾性支持部５ａの前端と当接すると、弾性支持部５ａの外面に乗り上げる。弾性支持部５ａは、本体２側に撓んで弾発力を働かせ、フード部８をフード部側に押圧する。フード部８の先端の上面に形成された係止部８１が、係止部材６の係止孔６１内に落ち込むと、フード部８は、本体２の上下の周面にそれぞれ形成された弾性支持部５ａを上下方向に挟み込んで上下方向の位置決めをされる。また、フード部８は、本体２の左右の周面にそれぞれ形成された弾性支持部５ａを左右方向に挟み込んで左右方向の位置決めをされる。【選択図】図３
2010040354.tif 000002
【特許請求の範囲】
【請求項１】
相手側コネクタのフード部を外嵌されて装着される外嵌部と、
前記外嵌部の外周面との間に間隙を設けて前記フード部の外嵌される側に向けて延び、前記外嵌部に外嵌された前記フード部と当接して、前記外嵌部側に押付力を付与される弾性支持部とを備えることを特徴とするコネクタ。
【請求項２】
前記弾性支持部と前記外嵌部との間の間隙には、相手側コネクタのフード部と前記外嵌部との間に介装されるシール部材の端部が収容されることを特徴とする請求項１に記載のコネクタ。
【請求項３】
前記外嵌部は、向かい合う一対の周面の互いに対向する位置に、前記弾性支持部をそれぞれ備えることを特徴とする請求項１又は２に記載のコネクタ。
【発明の詳細な説明】
【技術分野】
【０００１】
本発明は、相手側コネクタのフード部をシール部材を介して外嵌される外嵌部を備えたコネクタに関する。
【背景技術】
【０００２】
この種のコネクタは、下記の特許文献１に記載されている。特許文献１では、雄コネクタのロックアームが備える係止突起を雌コネクタの係止部に係止させて、雄コネクタと雌コネクタとが装着される。ロックアームにはスプリングが取り付けられており、係止突起が係止部に係止されると、係止部にコイルスプリングが圧接することで、雄コネクタと雌コネクタとの装着方向のガタが抑えられている。
【０００３】
【特許文献１】特開２００１−７４９８５号公報
【発明の開示】
【発明が解決しようとする課題】
【０００４】
上記特許文献１では、雄コネクタと雌コネクタとのガタを抑えるために、ロックアームに取り付けられたスプリングを用いているため、その分部品点数が増えてコネクタの製造コストが増大し、また、コネクタの大型化も招く虞があった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、相手側コネクタのフード部を外嵌されて装着される外嵌部と、前記外嵌部の外周面との間に間隙を設けて前記フード部の外嵌される側に向けて延び、前記外嵌部に外嵌された前記フード部と当接して、前記外嵌部側に押付力を付与される弾性支持部とを備えることを特徴とする。
また、本発明は、前記弾性支持部と前記外嵌部との間の間隙には、相手側コネクタのフード部と前記外嵌部との間に介装されるシール部材の端部が収容されることを特徴とする。
また、本発明は、前記外嵌部が、向かい合う一対の周面の互いに対向する位置に、前記弾性支持部をそれぞれ備えることを特徴とする。
【発明の効果】
【０００７】
本発明によれば、相手側コネクタのフード部を外嵌される外嵌部に弾性支持部を設けるという簡単な構成で、コネクタ同士を常に接触させて、コネクタ間でのガタの発生を防止できる。
【発明を実施するための最良の形態】
【０００８】
以下、図面を参照して、本発明の最良の形態を説明する。
図１は本実施形態の雌コネクタ１を示す図であり、（ａ）は正面図，（ｂ）は（ａ）のＡ−Ａ線断面図である。図２は、図１（ｂ）の枠Ｂ内を拡大して示す断面図であり、（ａ）はパッキン７の装着前，（ｂ）は装着後を示している。図３は、相手側コネクタのフード部８と弾性支持部５ａとの接触状態を説明する図である。図４は、突当部５０に弾性支持部を備えない従来のコネクタ１０でのフード部８０とパッキン７０との接触状態を説明する図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、コネクタ１は、端子キャビティ２ａを前面に開口させた略四角ブロック状の本体２と、本体２の外周面との間に挿入溝４を設けて前後方向に延びた略四角筒状のフード部３とを備えている。挿入溝４には、相手側コネクタのフード部８が挿入される（図３参照）。本体２の上下及び左右の外周面には、それぞれ突当部５が設けられている。本体２の上下の周面の突当部５は、配設面の左右の幅方向の中央部に設けられている。また、本体２の左右の周面の突当部５は、上下の端部を本体２の上下の周面までそれぞれ延出させており、前面視略コの字状を呈している。図２に示すように、突当部５には、本体２に外嵌されるシール部材の後端部７１が突き当てられる。
【００１０】
各突当部５は、本体２の上下及び左右の周面の後端部を、フード部３側に向けてブロック状に膨出させて構成されている。突当部５の前面のフード部３側の縁部からは、前方に向けて弾性支持部５ａが延びている。図２に拡大して示すように、弾性支持部５ａは、本体２の外周面と向かい合わせた内面を、前端側にかけてフード部３側に傾斜させ、徐々に肉薄になる断面形状を有している。弾性支持部５ａと本体２とで挟まれた挿入溝４の空間は、相手側コネクタのフード部８（図３参照）とのシールを行うシール部材７を収容する収容室４ａとなっている。収容室４ａには、本体２に外嵌されたシール部材７の後端部７１が収容される。
【００１１】
図１に示すように、本体２の後端部には、相手側コネクタがフード部８に備える係止部８１（図３参照）を係止するための係止部材６が設けられている。係止部材６は、本体２の上面の左右方向の中央部で上方に向けて突出した基端部から前方に向けて延びており、前端部には係止孔６１を備えている。係止孔６１は、相手側コネクタの係止部８１（図３参照）を係止するための孔であり、係止部材６を上下方向に貫通している。挿入溝４の底面には、係止部材６を挿入溝４内に望ませる開口４１が設けられている。
【００１２】
図３（ａ）に示すように、挿入溝４に挿入された相手側コネクタのフード部８は、本体２に外嵌されたシール部材７の外面に内面を接触させ、シール部材７を後方に押し付けながら後方に移動する。そして、同図に示すように、フード部８の先端は、弾性支持部５ａの前端と当接すると、図３（ｂ）に示すように弾性支持部５ａの外面に乗り上げて、後方への移動を続ける。フード部８の先端を外面に乗り上げられた弾性支持部５ａは、矢印Ｃで示すように本体２側に撓んで弾発力を働かせ、フード部８をフード部３側に押圧する。図３（ｃ）に示すように、フード部８は、先端の上面に備えた係止部８１を係止部材６の係止孔６１内に落ち込ませるまで後方に移動すると、本体２の上下の周面の弾性支持部５ａを上下方向に、また、左右の周面の弾性支持部５ａを左右方向にそれぞれ外側から挟み込んで、各弾性支持部５ａにより本体２に弾性支持され、上下及び左右方向の位置決めをされる。
【００１３】
また、図３（ａ），（ｂ）に順に示すように、挿入溝４内を移動するフード部８の先端は、係止部材６の下側に潜り込み、係止部材６を上方に撓ませる。これにより、フード部８は、係止部材６が働かせる弾発力により、本体２側に押圧される。その後、図３（ｃ）に示すように、フード部８は、係止部材６の係止孔６１内に係止部８１が落ち込むと、係止孔６１の前側面と弾性支持部５ａとで前後方向に挟み込まれて前後方向の位置決めをされる。また、フード部３側に撓んだ係止部材６と本体２側に撓んだ弾性支持部５ａとで上下方向に挟み込まれて、上下方向の位置決めもされる。
【００１４】
また、フード部８が挿入溝４内を後方に移動する最中、フード部８に後方へ向けた押付力を付与されたシール部材７は、後端部７１を突当部５の前面に押し付けると共に、後端部７１を弾性支持部５ａに外側から押さえ込まれるようにして、後方及び外方への移動を規制される。
【００１５】
本実施形態によれば、フード部８と当接した弾性支持部５ａが本体２側に撓むことで、フード部８が本体２に弾性支持される。このため、フード部８を備える相手側コネクタとコネクタ１とを常に接触させて、相手側コネクタとコネクタ１との間にガタが発生するのを防止できる。
【００１６】
また、本実施形態によれば、フード部８と当接した弾性支持部５ａが本体２側に撓むことから、フード部８を挿入溝４に挿入する際の挿入力を小さく抑えることができる。
【００１７】
また、本実施形態によれば、シール部材７の後端部７１を収容する収容室４ａを形成する弾性支持部５ａでフード部８を弾性支持し、相手側コネクタとコネクタ１との間でのガタの発生を防止することから、部品点数を抑え、また、コネクタ１の外形を小さく抑えることもできる。
【００１８】
また、本実施形態によれば、シール部材７の後端部７１が、収容室４ａに収容されて外側を弾性支持部５ａで覆われていることから、相手側コネクタのフード部８が外嵌される際に、フード部８に後方に押し付けられたシール部材７が、後端部７１を捲れ上がらせることも防止できる。つまり、図４に示すように、突当部５０に弾性支持部を備えない従来のコネクタ１０では、フード部８０から後方に押し付けられたパッキン７０は、後端部７１０を矢印Ｄで示すように、突当部５０上に捲れ上がらせる虞があるが、本実施形態のコネクタ１によれば、シール部材７の後端部７１を弾性支持部５ａで外側から押さえ込み、後端部７１が捲れ上がるのを防止できる。
【００１９】
上記実施形態では、弾性支持部５ａが本体２の外周面に設けられた突当部５から突出している場合について説明したが、弾性支持部５ａの形成位置は任意である。例えば、挿入溝４の底面やフード部３の内面から突出していてもよい。また、上記実施形態では、フード部３の上下及び左右の各外周面に弾性支持部５ａが設けられている場合について説明したが、例えば、上下や左右の向かい合う一対の周面にそれぞれ弾性支持部５ａが設けられている構成としてもよい。
【００２０】
また、フード部３の上周面と向かい合うように延びた１つの係止部材６のみを備えている必要はなく、例えば、フード部３の上下の各周面と向かい合うように延びた２つの係止部材６を備えていても、また、上下及び左右の各周面と向かい合うように延びた４つの係止部材６を備えていてもよい。
【図面の簡単な説明】
【００２１】
【図１】本発明の一実施形態の雌コネクタを示す図であり、（ａ）は正面図，（ｂ）は（ａ）のＡ−Ａ線断面図である。
【図２】図１（ｂ）の枠Ｂ内を拡大して示す断面図であり、（ａ）はパッキンの装着前，（ｂ）は装着後を示している。
【図３】雄コネクタのフード部とパッキンとの接触状態を説明する図である。
【図４】突当部を備えない従来のコネクタでのフード部とパッキンとの接触状態を説明する図である。
【符号の説明】
【００２２】
１  雌コネクタ
２  本体（外嵌部）
３  フード部
４  挿入溝
５  突当部
５ａ  弾性支持部
６  係止部材
６１  係止孔
８，８０  フード部
８１  係止部
【図１】
2010040354.tif 000003
【図２】
2010040354.tif 000004
【図３】
2010040354.tif 000005
【図４】
2010040354.tif 000006